(57)【要約】【課題】圃場に対する苗の植え付けを行うための苗植付け機構１７の複数個を横方向に並べて配設して，この各苗植付け機構ごとに，又は一対の苗植付け機構ごとに，その駆動を断続操作する条止めクラッチ機構２０を設ける一方，作業者が搭乗する操縦座席８の近傍に，前記各条止めクラッチ機構の各々に対するクラッチレバー２１，２２，２３を設けて成る乗用型田植機において，前記各クラッチレバーにおける操作性の向上を図る。【解決手段】前記各クラッチレバー２１，２２，２３を，前記操縦座席８の左右両側に振り分けて配設する。【選択図】図２
2007236266.tif 000002
【特許請求の範囲】
【請求項１】
圃場に対する苗の植え付けを行うための苗植付け機構の複数個を横方向に並べて配設して，この各苗植付け機構ごとに，又は一対の苗植付け機構ごとに，その駆動を断続操作する条止めクラッチ機構を設ける一方，作業者が搭乗する操縦座席の近傍に，前記各条止めクラッチ機構の各々に対するクラッチレバーを設けて成る乗用型田植機において，
前記各クラッチレバーは，前記操縦座席の左右両側に振り分けて配設されていることを特徴とする乗用型田植機における苗植付け条数の可変装置。
【請求項２】
前記請求項１の記載において，前記各苗植え機構のうち走行方向の右側に位置する苗植え機構の条止めクラッチ機構に対するクラッチレバーは，操縦座席の右側に，前記各苗植え機構のうち走行方向の左側に位置する苗植え機構の条止めクラッチ機構に対するクラッチレバーは，操縦座席の左側に配設されていることを特徴とする乗用型田植機における苗植付け条数の可変装置。
【請求項３】
前記請求項１又は２の記載において，前記各苗植付け機構のうち外側に位置する苗植付け機構に対するクラッチレバーは，前記操縦座席から遠い部位に，前記外側の苗植付け機構よりも内側に位置する苗植付け機構に対するクラッチレバーは，前記操縦座席に近い部位に位置するように構成されていることを特徴とする乗用型田植機における苗植付け条数の可変装置。
【発明の詳細な説明】
【技術分野】
【０００１】
本発明は，乗用型の田植機において，その圃場面に対する苗植付け条数を，作業者が搭乗する操縦座席の箇所から任意に変更するための可変装置に関するものである。
【背景技術】
【０００２】
一般に，乗用型田植機は，圃場に対する苗の植え付けを行うための苗植付け機構の複数個を，走行方向に対して横方向に適宜間隔で並べて配設して，この各苗植付け機構を，エンジン等の動力源からの動力伝達にて駆動することによって，圃場面に対する苗の植付けを複数条にわたって行うという構成であり，この乗用型田植機には，例えば，５条植え，６条植え又は８条植え仕様のものを，これより少ない植付け条数に変更するようにした苗植付け条数の可変装置が設けられている。
【０００３】
従来，この種の苗植付け条数の可変装置は，例えば，特許文献１等に記載されているように，前記各苗植付け機構に対する動力伝達を断続するための条止めクラッチ機構を，前記各苗植付け機構ごとに，又は一対の苗植付け機構ごとに設ける一方，この各条止めクラッチ機構の各々に対するクラッチレバーを，作業者が搭乗する操縦座席の近傍に前後方向に回動するように設けて，前記各苗植付け機構のうち任意の苗植付け機構，又は任意の一対の苗植付け機構を，そのクラッチレバーの後方への回動操作にて停止することによって苗植付け条数の変更を行うという構成にしている。
【０００４】
この場合，従来の可変装置においては，特許文献１等に記載されているように，苗植付け条数の変更を行うための前記各クラッチレバーを，前記操縦座席の左右両側のうち片側に，横方向に並べて配設するという構成にしている。
【特許文献１】特開２００３−２１９７１５号公報
【発明の開示】
【発明が解決しようとする課題】
【０００５】
しかし，苗植付け条数の変更を行うための前記各クラッチレバーを，前記した従来の可変装置のように，前記操縦座席の左右両側のうち片側に，横方向に並べて配設するという構成にした場合には，この各クラッチレバーのうち外側に位置するクラッチレバーは，当該クラッチレバーの本数に比例して，前記操縦座席から遠ざかることになるから，作業者は，これを前記操縦座席に座った姿勢のままで回動操作することが困難になり，その回動操作の際には，その都度操縦座席から立ち上がるようにしなければならず，その操作が面倒であるばかりか，誤操作をするおそれが大きいという問題があった。
【０００６】
本発明は，これらの問題を解消した苗植付け条数の可変装置を提供することを技術的課題とするものである。
【課題を解決するための手段】
【０００７】
この技術的課題を達成するため本発明の請求項１は，
「圃場に対する苗の植え付けを行うための苗植付け機構の複数個を横方向に並べて配設して，この各苗植付け機構ごとに，又は一対の苗植付け機構ごとに，その駆動を断続操作する条止めクラッチ機構を設ける一方，作業者が搭乗する操縦座席の近傍に，前記各条止めクラッチ機構の各々に対するクラッチレバーを設けて成る乗用型田植機において，
前記各クラッチレバーは，前記操縦座席の左右両側に振り分けて配設されている。」
ことを特徴としている。
【０００８】
また，本発明の請求項２は，
「前記請求項１の記載において，前記各苗植え機構のうち走行方向の右側に位置する苗植え機構の条止めクラッチ機構に対するクラッチレバーは，操縦座席の右側に，前記各苗植え機構のうち走行方向の左側に位置する苗植え機構の条止めクラッチ機構に対するクラッチレバーは，操縦座席の左側に配設されている。」
ことを特徴としている。
【０００９】
更にまた，本発明の請求項３は，
「前記請求項１又は２の記載において，前記各苗植付け機構のうち外側に位置する苗植付け機構に対するクラッチレバーは，前記操縦座席から遠い部位に，前記外側の苗植付け機構よりも内側に位置する苗植付け機構に対するクラッチレバーは，前記操縦座席に近い部位に位置するように構成されている。」
ことを特徴としている。
【発明の効果】
【００１０】
前記請求項１に記載したように，苗植付け条数の変更操作を行う各クラッチレバーを，操縦座席の左右両側に振り分けて配設することにより，この各クラッチレバーの総てが，当該各クラッチレバーを操縦座席の片側に横方向に並べて設ける場合よりも，操縦座席に近づくことになるから，作業者は，操縦座席に座ったままの姿勢で前記総てのクラッチレバーを操作することができて，操作性を大幅に向上できるとともに，誤操作を確実に低減できる。
【００１１】
この場合において，請求項２に記載した構成にすることにより，操縦座席の右側に位置するクラッチレバーによって右側に位置する苗植付け機構を，左側に位置するクラッチレバーによって左側に位置する苗植付け機構を各々操作することができるから，左右を間違って操作することを確実に回避することかできる。
【００１２】
また，請求項３に記載した構成にすることにより，操縦座席の左右両側に位置する各クラッチレバーの相互間において，誤って操作することを確実に回避できる。
【発明を実施するための最良の形態】
【００１３】
以下，本発明の実施の形態を，６条植えの乗用型田植機に適用した場合の図面について説明する。
【００１４】
図１及び図２において，符号１は，６条植えの乗用型田植機を示し，この田植機１は，左右一対の前輪３及び後輪４にて支持された走行機体２と，この走行機体２の後部に昇降可能に装着されて圃場面５に対して苗植付けを６条について行うようにした苗植装置６とを備えている。
【００１５】
また，前記走行機体２には，前部にエンジン７が搭載されるとともに，後部に操縦座席８が設けられ，更に，前記エンジン７からの動力を適宜変速して前記各車輪３，４に伝達するための走行ミッション９が搭載され，矢印Ａで示す方向に適宜速度で前進走行するように構成され，加えて，前記走行機体２のうち前記操縦座席８の後部及び左右両側の部分には，カバーケース１０が設けられ，このカバーケース１０の上面は，この上に乗った状態のもとで前記走行機体２の前部左右両側に搭載した苗マットを前記苗植装置６に対して補給するという苗継ぎ等のような各種作業を行うための作業床面１１に形成されている。
【００１６】
なお，前記作業床面１１には，二点鎖線で示すように，前記苗植装置６にて苗植付けを行う各植付け条の各々に対して肥料を散布するための肥料散布機構１２を搭載する場合も存在する。
【００１７】
前記苗植装置６は，従来から良く知られているように，２条植えを一単位とする三つの苗植ユニット，つまり，第１苗植ユニット１３，第２苗植ユニット１４及び第３苗植ユニット１５を横方向に並べて配設することによって，合計として６条植えに構成されている。
【００１８】
また，前記各苗植ユニット１３，１４，１５の各々は，前記エンジン７から動力伝達される伝動ケース１６と，この伝動ケース１６の左右両側面に装着されている従来周知のロータリー式苗植付け機構１７と，前記伝動ケース１６の上面に装着されている苗載台１８と，前記伝動ケース１６の下面に前記圃場面５の表面を滑走するように装着したフロート１９から成り，前記苗載台１８には，図示していないがこれに載せた苗マットに対する縦送り機構が設けられている一方，前記伝動ケース１６には，その左右両側における一対の苗植付け機構１７に対する動力伝達を同時に断続操作するための条止めクラッチ機構２０が設けられている。
【００１９】
この条止めクラッチ機構２０は，図７及び図８に示すように，一対の苗植付け機構１７に対して共通の駆動軸２０ａに，前記エンジン７から動力伝達される従動歯車２０ｂを回転自在に被嵌して，この従動歯車２０ｂに従動側クラッチ爪２０ｃを設ける一方，前記駆動軸２０ａに，前記従動側クラッチ爪２０ｃに噛合するように構成したクラッチ体２０ｄを，スプライン嵌合にて軸線方向に摺動自在に設けて，このクラッチ体２０ｄを，前記駆動軸２０ａに被嵌して設けたばね２０ｅの付勢にて前記従動側クラッチ爪２０ｃに常時噛合することにより，前記両苗植付け機構１７を回転駆動し，更に，前記クラッチ体２０ｄには，傾斜カム面２０ｆを設けて，この傾斜カム面２０ｆに，前記伝動ケース１６に出没自在に設けた操作ピン２０ｇの先端を接触することにより，前記クラッチ体２０ｄがそのばね２０ｅに抗して前記従動側クラッチ爪２０ｃから外れるように後退動して，前記両苗植付け機構１７を回転駆動を停止するように構成している。
【００２０】
この場合において，前記操作ピン２０ｇの基端を，前記伝動ケース１６から上向きに突出するアーム２０ｈの先端にピン２０ｉにて回転自在に枢着したベルクランク型の操作レバー２０ｊの一端に連結して，前記操作ピン２０ｇを，前記ベルクランクレバー２０ｊに対して前記ピン２０ｉに被嵌するように設けた捩じりばね２０ｋにより，前記傾斜カム面２０ｆから外れる方向に付勢し且つこの位置を保持するように構成している。
【００２１】
一方，前記走行機体２におけるカバーケース１０には，前記各苗植ユニット１３，１４，１５の各々における一対の苗植付け機構１７に対するクラッチレバー２１，２２，２３が，前記操縦座席８の左右両側に振り分けて設けられている。
【００２２】
すなわち，前記操縦座席８の右側に，前記各苗植ユニット１３，１４，１５のうち走行方向に対して最も右外側に位置する第１苗植ユニット１３における一対の苗植付け機構１７に対するクラッチレバー２１と，前記各苗植ユニット１３，１４，１５のうち走行方向に対して内側に位置する第２苗植ユニット１４における一対の苗植付け機構１７に対するクラッチレバー２２とを横方向に並べて配設する。
【００２３】
一方，前記操縦座席８の左側に，各苗植ユニット１３，１４，１５のうち走行方向に対して最も左外側に位置する第３苗植ユニット１５における一対の苗植付け機構１７に対するクラッチレバー２３を配設する。
【００２４】
この場合，前記第１苗植ユニット１３における一対の苗植付け機構１７に対するクラッチレバー２１を外側に位置し，前記第２苗植ユニット１４における一対の苗植付け機構１７に対するクラッチレバー２２を内側に位置している。
【００２５】
なお，前記乗用型田植機１を，前記三つの苗植ユニット１３，１４，１５を並べて配設することに加えて，これら各苗植ユニットと同様に構成した第４苗植ユニットを並べて配設することで合計として８条植えに構成する場合には，操縦座席８の右側に，走行方向に対して右から数えて第１苗植ユニット及び第２苗植ユニットにおける一対の苗植付け機構１７に対するクラッチレバーを，第１苗植ユニットにおける一対の苗植付け機構１７に対するクラッチレバーを操縦座席８より遠い部位に第２苗植ユニットにおける一対の苗植付け機構１７に対するクラッチレバーを操縦座席８に近い部位に位置して配設する一方，前記操縦座席８の左側に，走行方向に対して右から数えて第３苗植ユニット（走行方向に対して左から数えて第２番目の苗植ユニット）及び第４苗植ユニット（走行方向に対して最も左側に位置する苗植ユニット）における一対の苗植付け機構１７に対するクラッチレバーを，第４苗植ユニットにおける一対の苗植付け機構１７に対するクラッチレバーを操縦座席８より遠い部位に第３苗植ユニットにおける一対の苗植付け機構１７に対するクラッチレバーを操縦座席８に近い部位に位置して配設する。
【００２６】
つまり，前記複数の各苗植ユニットを，当該各苗植ユニットのうち走行方向に対して右側に位置する苗植ユニットにおける一対の苗植付け機構に対するクラッチレバーは操縦座席の右側に位置し，前記各苗植ユニットのうち走行方向に対して左側に位置する苗植ユニットにおける一対の苗植付け機構に対するクラッチレバーは操縦座席の左側に位置するというように，操縦座席８の左右両側に振り分けて配設し，更に，前記各苗植ユニットのうち走行方向に対して外側に位置する苗植ユニットにおける一対の苗植付け機構に対するクラッチレバーを前記操縦座席から遠い部位に，前記外側の苗植ユニットの内側に位置する苗植ユニットにおける一対の苗植付け機構に対するクラッチレバーを，前記操縦座席に近い部位に位置するように構成する。
【００２７】
前記第１苗植ユニット１３における一対の苗植付け機構１７に対するクラッチレバー２１及び前記第２苗植ユニット１４における一対の苗植付け機構１７に対するクラッチレバー２２を，前記カバーケース１０内に設けた門型フレーム２４から突出するブラケット２５の左右両側面に，当該両クラッチレバー２１，２２が前後方向に回動するようにピン２６，２７にて回動自在に枢着する一方，前記第３苗植ユニット１５に対するクラッチレバー２３を，前記門型フレーム２４から突出するブラケット２８の右側面に，当該クラッチレバー２３が前後方向に回動するようにピン２９にて回動自在に枢着する。
【００２８】
なお，８条植えに構成する場合には，前記ブラケット２８における左側面に，第４苗植ユニットに対するクラッチレバーを枢着するように構成する。つまり，前記一つのブラケット２５，２８に対して，その左右両側面に二つのクラッチレバーを取り付けるように構成している。
【００２９】
前記第１苗植ユニット１３に対するクラッチレバー２１の下端部に固着したピン２１ａと第１苗植ユニット１３における条止めクラッチ機構２０の操作レバー２０ｊの下端との間，前記第２苗植ユニット１４に対するクラッチレバー２２の下端部に固着したピン２２ａと第２苗植ユニット１４における条止めクラッチ機構２０の操作レバー２０ｊの下端との間，及び，前記第３苗植ユニット１５に対するクラッチレバー２３の下端部に固着したピン２３ａと第３苗植ユニット１５における条止めクラッチ機構２０の操作レバー２０ｊの下端との間の各々を，遠隔操作用ワイヤー３０，３１，３２を介して連結することにより，前記各クラッチレバー２１，２２，２３を，前方向に図示しない前ストッパーに接当するまで回動操作したとき，前記各苗植ユニット１３，１４，１５における条止めクラッチ機構２０がクラッチ入りになり，前記各クラッチレバー２１，２２，２３を，後方向に図示しない後ストッパーに接当するまで回動操作したとき，前記各苗植ユニット１３，１４，１５における条止めクラッチ機構２０がクラッチ入りになるように構成する。
【００３０】
すなわち，前記各クラッチレバー２１，２２，２３のうち任意のクラッチレバーを後方側に回動操作することで，当該クラッチレバーに対応する苗植ユニットにおける両苗植付け機構１７を同時に停止することができるから，これによって，６条植えから４条植え又は２条植えに自在に変更することができる。
【００３１】
この場合，前記各クラッチレバー２１，２２，２３を，前方に回動操作したとき，前記各苗植ユニット１３，１４，１５における条止めクラッチ機構２０の捩じりばね２０ｋによるばね力がピン２６，２７，２９より下側に作用することにより，前ストッパーに接当する状態，つまり，前方回動位置（苗植付け機構を駆動する位置）に保持されているが，この各クラッチレバー２１，２２，２３を，後方に回動操作としたとき，前記捩じりばね２０ｋによるばね力がピン２６，２７，２９より上側に作用するというように支点越えすることにより，後ストッパーに接当する状態，つまり，後方回動位置（苗植付け機構を停止する位置）に保持するように構成している。
【００３２】
なお，前記各ワイヤー３０，３１，３２と条止めクラッチ機構２０における操作レバー２０ｊとの連結部には，緩衝用の引っ張りばね３３が設けられている。
【００３３】
そして，前記各クラッチレバー２１，２２，２３を，側面視において，く字状に屈曲した形状にすることにより，これを前方回動位置（苗植付け機構を駆動する位置）に回動操作したとき，その上端における握り部が前記カバーケース１０の前面に突出しているが，これを後方回動位置（苗植付け機構を停止する位置）に回動操作したとき，その握り部が前記カバーケース１０の上面における作業床面１１より僅かに突出した状態でこの作業床面１１と実質的に平行又はこれに近い状態になるように，後方に向かって実質的に水平又はこれに近い状態に倒れるように構成している。
【００３４】
このように構成したことにより，前記各クラッチレバー２１，２２，２３は，前記操縦座席８の左右両側に振り分けて配設されていることにより，この各クラッチレバー２１，２２，２３の総てが，当該各クラッチレバーを操縦座席の片側に横方向に並べて設ける場合よりも，操縦座席８に近づくことになるから，作業者は，操縦座席８に座ったままの姿勢で前記総てのクラッチレバーを操作することができる。
【００３５】
また，前記各苗植ユニット１３，１４，１５のうち走行方向に向かって右側に位置する第１苗植ユニット１３における一対の苗植付け機構１７に対するクラッチレバー２１は，前記操縦座席８の右側に位置する一方，前記各苗植ユニット１３，１４，１５のうち走行方向に向かって左側に位置する第３苗植ユニット１５における一対の苗植付け機構１７に対するクラッチレバー２３は，前記操縦座席８の左側に位置していることにより，右側に位置する第１苗植ユニット１３における一対の苗植付け機構１７と，左側に位置する第３苗植ユニット１５における一対の苗植付け機構１７とを誤って操作することを低減できる。
【００３６】
更にまた，前記操縦座席８の右側に位置する各クラッチレバー２１，２２においては，前記各苗植ユニットのうち最も右外側に位置する第１苗植ユニット１３における一対の苗植付け機構１７に対するクラッチレバー２１が外側に位置し，前記第１苗植ユニット１３よりも内側に位置する第２苗植ユニット１４における一対の苗植付け機構１７に対するクラッチレバー２２が内側に位置していることにより，この各クラッチレバー２１，２２の相互間において外側と内側とについて誤って操作することを低減できる。
【００３７】
前記各クラッチレバー２１，２２は，これを前方回動位置（苗植付け機構を駆動する位置）に回動操作したときには，その上端における握り部が前記カバーケース１０の前面より突出している状態になっているが，これを後方回動位置（苗植付け機構を停止する位置）に回動操作したときには，その握り部が後方に向かって実質的に水平又はこれに近い状態に倒れる状態になるから，これによって，前記各クラッチレバー２１，２２，２３のうち任意のクラッチレバーが，苗植付け機構を駆動する位置になっているか，或いは，苗植付け機構を停止する位置になっているかが，一見して容易に且つ的確に識別することができる。
【００３８】
ところで，前記各苗植ユニット１３，１４，１５における苗載台１８には，これに載せた苗マットに対する縦送り機構が設けられており，この縦送り機構は，前記両苗植付け機構１７の駆動を停止したときにおいて同時に，クラッチ機構にて縦送りを停止するように構成されている。
【００３９】
そこで，前記各クラッチレバー２１，２２，２３の下端部に固着したピン２１ａ，２２ａ，２３ａの各々に，当該各クラッチレバー２１，２２，２３の各々に対応する前記各苗植ユニット１３，１４，１５における縦送り機構用クラック機構を遠隔的に操作するための操作ワイヤー３４，３５，３６を連結することにより，前記各クラッチレバー２１，２２，２３のうち任意のクラッチレバーにおける後方への回動操作にて，当該クラッチレバーに対応する苗植ユニット１３，１４，１５における両苗植付け機構１７の停止と，この停止した苗植付け機構１７の苗載台１８における縦送り機構の停止とを同時に行うことができる。
【００４０】
また，乗用型田植機によっては，前記したように，前記各苗植付け機構１７による苗植付け条に対する肥料散布装置１２が設けられる場合がある。
【００４１】
この肥料散布装置１２は，従来から良く知られているように，前記各苗植付け機構１７のうち停止した苗植付け機構による苗植え付け条に対しては，肥料の散布を停止するように構成されている。
【００４２】
そこで，この肥料散布装置１２において，各苗植え付け条に対する肥料の散布を停止する機構を操作するための操作ワイヤー３７，３８，３９を，前記各クラッチレバー２１，２２，２３の下端部に固着したピン２１ａ，２２ａ，２３ａの各々に連結することにより，前記各クラッチレバー２１，２２，２３のうち任意のクラッチレバーにおける後方への回動操作にて，当該クラッチレバーに対応する苗植ユニット１３，１４，１５における両苗植付け機構１７の停止と，この停止した苗植付け機構１７の苗載台１８における縦送り機構の停止と，前記停止した苗植付け機構１７による苗植付け条に対する肥料散布停止との三者を同時に行うことができる。
【００４３】
なお，前記した図示の実施の形態においては，一つの苗植ユニットに，一対の苗植付け機構を設け，この一対の苗植付け機構ごとに条止めクラッチ機構を設けた場合を示したが，本発明は，これに限らず，各苗植付け機構ごとに条止めクラッチ機構を設けた場合にも適用できることはいうまでもない。
【図面の簡単な説明】
【００４４】
【図１】乗用型田植機の側面図である。
【図２】乗用型田植機の平面図である。
【図３】図１の要部を示す拡大図である。
【図４】図３の更に要部を示す拡大図である。
【図５】図３のＶ−Ｖ視側面図である。
【図６】図４の斜視図である。
【図７】苗植付け機構の部分を示す図である。
【図８】図７のVIII−VIII視断面図である。
【符号の説明】
【００４５】
１                  田植機
２                  走行機体
３，４              車輪
５                  圃場面
６                  苗植装置
８                  操縦座席
１０                カバーケース
１１                作業床面
１３，１４，１５    苗植ユニット
１７                苗植付け機構
１８                苗載台
１９                フロート
２０                条止めクラッチ機構
２０ｋ              捩じりばね（ばね手段）
２１，２２，２３    クラッチレバー
３０，３１，３２    操作ワイヤ
【図１】
2007236266.tif 000003
【図２】
2007236266.tif 000004
【図３】
2007236266.tif 000005
【図４】
2007236266.tif 000006
【図５】
2007236266.tif 000007
【図６】
2007236266.tif 000008
【図７】
2007236266.tif 000009
【図８】
2007236266.tif 000010